(57)【要約】【課題】映像表示部に容易に偏光部を取り付けることができるようにすること。【解決手段】本発明は、発光部５０の周囲に配置される枠本体１１および当該枠本体１１に延設し発光部５０の側面沿って嵌合される枠脚部１２を有する枠部１０と、枠部１０の向かい合う枠脚部１２間を跨ぐように設けられる偏光部２０とを有する映像表示装置用枠材１である。この枠部１０は必要に応じて取り付け、不要な場合には簡単に取り外すことができるようになっている。【選択図】図１
2010281994.tif 000002
【特許請求の範囲】
【請求項１】
発光部の周囲に配置される枠本体および当該枠本体に延設し前記発光部の側面に沿って嵌合される枠脚部を有する枠部と、
前記枠部の向かい合う枠脚部間を跨ぐように設けられる偏光部と
を有する映像表示装置用枠材。
【請求項２】
前記枠部は、前記発光部の周囲に着脱自在に嵌合されている
請求項１記載の映像表示装置用枠材。
【請求項３】
前記枠部の少なくとも枠本体の表面は、光反射を抑制する色で構成されている
請求項１または２記載の映像表示装置用枠材。
【請求項４】
前記枠部の少なくとも枠本体の表面は、光反射を抑制する表面処理が施されている
請求項１から３のうちいずれか１項に記載の映像表示装置用枠材。
【請求項５】
前記枠部は、可撓性を有する材料で構成されている
請求項１から４のうちいずれか１項に記載の映像表示装置用枠材。
【請求項６】
前記枠部は、所定の間隔で配置される複数の発光部に対応して、当該複数の発光部の側面に沿って前記枠脚部が嵌合される
請求項１から５のうちいずれか１項に記載の映像表示装置用枠材。
【請求項７】
前記枠部は、所定の間隔で行列状に配置される複数の発光部に対応して、当該複数の発光部の側面に沿って前記枠脚部が嵌合される
請求項１から５のうちいずれか１項に記載の映像表示装置用枠材。
【請求項８】
複数の発光部が行列状に配置される映像表示部と、
前記映像表示部の複数の発光部の周囲に配置される枠本体および当該枠本体に延設し前記複数の発光部の最外側面に沿って嵌合される枠脚部を有する枠部と、
前記枠部の向かい合う枠脚部間を跨ぐように設けられる偏光部と
を有する映像表示装置。
【請求項９】
前記枠部は、前記複数の発光部の隙間に着脱自在に嵌合されている
請求項８記載の映像表示装置。
【請求項１０】
前記偏光部は、前記映像表示部の複数の発光部の１行ごとに２つの異なる偏光方向のものが交互に配置される構成となっている
請求項８または９記載の映像表示装置。
【発明の詳細な説明】
【技術分野】
【０００１】
本発明は、映像表示装置用枠材および映像表示装置に関する。詳しくは、映像表示装置に必要に応じて偏光板を取り付けることができる映像表示装置用枠材および映像表示装置に関する。
【背景技術】
【０００２】
近年、ＬＥＤ（Light Emitting Diode）、ＰＤＰ（Plasma Display Panel）、蛍光管、蛍光ランプなどを使った大型の映像表示装置が普及している。また、例えば、映像表示におけるラインを奇数（ｏｄｄ）／偶数（ｅｖｅｎ）で切り替え、ｏｄｄラインから出る光の振動方向とｅｖｅｎラインから出る光の振動方向とを直交させ、偏光メガネで見ることにより立体映像を表示する技術も考えられている。従来技術としては、特許文献１が挙げられる。
【先行技術文献】
【特許文献】
【０００３】
【特許文献１】特開２００３−０２９２０７号公報
【発明の概要】
【発明が解決しようとする課題】
【０００４】
こうした立体映像表示装置を実現する場合、ユニット化された映像表示部の発光部の前面に、ラインごとに偏光方向の異なる偏光板を設ける必要がある。偏光板は、ライン状にしたものや、一体化したものが最前面に貼り付けられている。このため、偏光板の貼り付けに多大な手間がかかるとともに、最前面に貼り付けた偏光板の表面で外光が反射して、映像を見る上で煩わしいという問題が生じる。
【０００５】
本発明は、映像表示部に容易に偏光部を取り付けることができ、かつ表示特性の向上を図ることができる技術の提供を目的とする。
【課題を解決するための手段】
【０００６】
本発明は、発光部の周囲に配置される枠本体および当該枠本体に延設し発光部の側面沿って嵌合される枠脚部を有する枠部と、枠部の向かい合う枠脚部間を跨ぐように設けられる偏光部とを有する映像表示装置用枠材である。
【０００７】
このような本発明では、発光部の周囲に嵌合される枠部の枠脚部に偏光部が設けられているため、枠部を発光部の周囲に嵌合するだけで発光部に対応した正確な位置に偏光部を取り付けることができるようになる。
【０００８】
ここで、枠部は、発光部の周囲に着脱自在に嵌合されているものである。また、枠部が可撓性を有する材料で構成されているものでもある。これにより、必要に応じて偏光部が設けられた枠部を取り付け、不要な場合には簡単に取り外すことができるようになる。
【０００９】
また、枠部の少なくとも枠本体の表面は、光反射を抑制する色で構成されている。本発明では、枠部における枠脚部側に偏光部が設けられている。このため、枠部を発光部の周囲に嵌合すると、発光部と枠本体との間に偏光部が配置され、発光部を光出射面側から参照すると、発光部の周囲を取り囲む枠本体の表面が臨む状態となる。この枠本体の表面が光反射を抑制する色で構成されていると、外光の乱反射を防ぐことができる。これにより、枠本体がブラックストライプの作用を果たすことになる。
【００１０】
また、本発明は、複数の発光部が行列状に配置される映像表示部と、映像表示部の複数の発光部の周囲に配置される枠本体および当該枠本体に延設し複数の発光部の隙間に嵌合される枠脚部を有する枠部と、枠部の向かい合う枠脚部間を跨ぐように設けられる偏光部とを有する映像表示装置である。
【００１１】
このような本発明では、発光部の周囲に嵌合される枠部の枠脚部に偏光部が設けられているため、枠部を発光部の周囲に嵌合するだけで発光部に対応した偏光部を映像表示部に容易に取り付けることができるようになる。また、立体映像表示部の発光部として用いられるＬＥＤのチップ表面やＬＥＤパッケージに予め偏光板を組み込むこともできる。
【発明の効果】
【００１２】
本発明によれば、偏光部が必要な場合に映像表示部に容易かつ的確に偏光部を取り付けることが可能となる。
【図面の簡単な説明】
【００１３】
【図１】本実施形態に係る映像表示装置用枠材の基本構成を説明する斜視図である。
【図２】本実施形態に係る映像表示装置用枠材の分解斜視図である。
【図３】本実施形態に係る映像表示装置用枠材の着脱の状態を説明する断面図である。
【図４】ライン状の映像表示装置用枠材の例を説明する斜視図である。
【図５】マトリクス（行列）状の映像表示装置用枠材の例を説明する斜視図である。
【図６】マトリクス（行列）状の映像表示装置用枠材の分解斜視図である。
【図７】本実施形態に係る映像表示装置を説明する斜視図である。
【図８】本実施形態の映像表示装置を用いた立体映像の参照状態を説明する図である。
【図９】発光部の構成例を説明する図である。
【発明を実施するための形態】
【００１４】
以下、本発明を実施するための形態（以下、「実施形態」という。）について説明する。なお、説明は以下の順序で行う。
１．映像表示装置用枠材（枠材の基本構成の例、分解斜視図、着脱の状態、ライン構成の例、マトリクス構成の例）
２．映像表示装置（枠材の構成の例、映像参照状態）
３．発光部の構成例（角形パッケージの例、丸形パッケージの例）
【００１５】
＜１．映像表示装置用枠材＞
［枠材の基本構成］
図１は、本実施形態に係る映像表示装置用枠材の基本構成を説明する斜視図である。すなわち、本実施形態に映像表示装置用枠材１の基本構成は、一つの発光部５０に対応した構成となっている。映像表示装置用枠材１は、枠部１０と偏光部２０とから構成される。
【００１６】
枠部１０は、枠本体１１と枠脚部１２とを有する。枠本体１１は、発光部５０の周囲に配置できるようにするため、発光部５０の外形に対応した枠形状を成す部材となっている。枠脚部１２は、枠本体１１に延設した部材であり、発光部５０の側面に沿って嵌合されるものである。枠脚部１２は、枠本体１１の図中横枠部分において裏面方向に向けて突出した状態で設けられている。
【００１７】
なお、枠脚部１２は、必要に応じて枠本体１１の図中縦枠部分に設けられていてもよい。また、図１では、説明の便宜上、枠本体１１と枠脚部１２との間に破線を示し区分けしているが、実際には枠本体１１と枠脚部１２とは一体的に成形されていてもよい。さらに、枠脚部１２は、枠本体１１の図中横枠の辺全体に設けられているが、一部だけに設けられていてもよい。
【００１８】
偏光部２０は、発光部５０から出射される光の偏光方向を制御するフィルタであり、Ｓ偏光（入射面に対して垂直な偏光方向）、Ｐ偏光（入射面に対して水平な偏光方向）のほか、円偏光（時計回り、反時計回り）や楕円偏光などの偏光方向の制御を行う。
【００１９】
偏光部２０は、枠部１０の向かい合う枠脚部１２を跨ぐように設けられている。図１に示す例では、枠部１０の図中横枠のうち向かい合う辺に設けられる上側の枠脚部１２ａと図中下側の枠脚部１２ｂとの間を跨ぐよう偏光部２０が設けられている。これにより、枠部１０の枠本体１１で構成される枠の開口全面を偏光部２０が覆う状態となる。
【００２０】
このような構成から成る映像表示装置用枠材１は、発光部５０の周囲に着脱自在に嵌合される。ここで、発光部５０は、例えば赤色の光を出射する発光素子５０ｒと緑色の光を出射する発光素子５０ｇと青色の光を出射する発光素子５０ｂとが配置され、パッケージ５１によって封止されたものである。パッケージ５１は例えば矩形をしており、このパッケージ５１の外形サイズに合わせて枠本体１１や枠脚部１２が構成されている。
【００２１】
このため、映像表示装置用枠材１を発光部５０に嵌め合わせるよう装着すると、向かい合う枠脚部１２、すなわち図１に示す例では、上下の枠脚部１２ａ、１２ｂの間に発光部５０のパッケージ５１が嵌合される状態となる。上下の枠脚部１２ａ、１２ｂの間の内寸は発光部５０のパッケージ５１の上下方向の外寸とほぼ等しくなっており、ずれなく映像表示装置用枠材１が嵌合される。
【００２２】
枠部１０は、可撓性を有する材料で構成されていてもよい。例えば、ゴム系（シリコーンゴム等）の材料で構成され、可撓性を有することで映像表示装置用枠材１を発光部５０に容易に着脱できるようになる。
【００２３】
また、枠部１０が可撓性を有する材料で構成されている場合、上下の枠脚部１２ａ、１２ｂの間の内寸を、発光部５０のパッケージ５１の上下方向の外寸より僅かに小さくしておいてもよい。これにより、枠部１０をパッケージ５１の周囲にはめ込んだ際、枠脚部１２ａ、１２ｂの撓みの反力を利用して枠部１０をパッケージ５１に確実に固定できるようになる。
【００２４】
枠部１０の少なくともの枠本体１１の表面は、光反射を抑制する色で構成されている。例えば、黒や黒に近いグレーといった色で構成されている。この枠本体１１の表面が光反射を抑制する色で構成されていると、外光（発光部５０以外の光）の乱反射を防ぐことができる。これにより、枠本体１１が映像表示装置のブラックストライプの作用を果たすことになる。なお、枠本体１１の表面は、素材自体の色によって光反射を抑制するようにしても、また表面処理（凹凸処理等）によって光反射を抑制するようにしてもよい。また、図示を省略したが、枠本体１１の前面上部に迫り出し部（ヒサシ）を設け、映像表示装置が野外に設置された場合の日除けとすることができる。
【００２５】
［分解斜視図］
図２は、本実施形態に係る映像表示装置用枠材の分解斜視図である。映像表示装置用枠材１は、枠部１０と偏光部２０とから構成され、偏光部２０は枠部１０の枠脚部１２の間にはめ込まれている。偏光部２０は、上下の枠脚部１２ａ、１２ｂの間で挟持されるようになっていても、枠本体１１の裏側に接着されるようになっていてもよい。上下の枠脚部１２ａ、１２ｂの間に挟持される場合には、必要に応じて偏光部２０を抜き差しすることができる。
【００２６】
ここで、偏光部２０は、枠本体１１の裏側もしくは枠本体に内包される位置に設けられる。これは、枠部１０を発光部に装着した際、映像表示部の最前面において発光部の周囲を取り囲む枠本体１１の表面が臨む状態にするためである。これによって、枠本体１１を映像表示装置のブラックストライプとしての作用を実現する。また、偏光部２０は枠本体１１で囲まれる構造なので、指向性が向上し、偏光部２０の変形、キズ付き防止に役立つ。さらに、枠本体１１によって直接的な外光入射が少なくなるので、偏光部２０の劣化が防げる。
【００２７】
［着脱の状態］
図３は、本実施形態に係る映像表示装置用枠材の着脱の状態を説明する断面図である。図３（ａ）に示すように、映像表示装置用枠材１は、枠部１０の枠脚部１２の間に偏光部２０がはめ込まれた状態となっている。一方、発光部５０は基板Ｓ上に実装されている。発光部５０は図示しない電極が基板Ｓに設けられた配線パターンと導通するよう半田付け等によって接続されている。映像表示装置用枠材１は、この発光部５０のパッケージ５１の外側に被せるように嵌合される。
【００２８】
枠脚部１２（１２ａ、１２ｂ）の内寸は発光部５０のパッケージ５１の外寸とほぼ等しく設けられているため、映像表示装置用枠材１を発光部５０に被せると発光部５０のパッケージ５１は枠脚部１２（１２ａ、１２ｂ）の内側に丁度収まる状態となる。また、枠本体１１の裏側で、枠脚部１２（１２ａ、１２ｂ）の間となる位置に偏光部２０が設けられているため、映像表示装置用枠材１を発光部５０の外側に被せると、発光部５０の光出射面側に偏光部２０が配置される状態となる。
【００２９】
図３（ｂ）は、枠脚部に凹部を有する例を示す断面図である。この例では、映像表示装置用枠材１の枠部１０における枠脚部１２（１２ａ、１２ｂ）に凹部１２０が設けられており、この凹部１２０に偏光部２０がはめ込まれたものである。凹部１２０は、枠脚部１２（１２ａ、１２ｂ）の最も枠本体１１側に開口が対向するよう設けられており、この凹部１２０に枠脚部１２（１２ａ、１２ｂ）の内寸より幅広の偏光部２０が挿入されている。これにより、枠脚部１２（１２ａ、１２ｂ）の間に偏光部２０をはめ込む際、凹部１２０内に差し込むように取り付けることができる。
【００３０】
ここで、図３（ａ）、（ｂ）のいずれの例でも、枠脚部１２の高さを、発光部５０の厚さ＋偏光部２０の厚さにすると、映像表示装置用枠材１を発光部５０に被せた際、偏光部２０が発光部５０に密着するとともに、枠脚部１２の底が基板Ｓに当接する状態となる。枠脚部１２の底が基板Ｓに当接する構成では、枠脚部１２の底に接着剤を塗布しておくことで枠部１０の確実な固定が行われる。なお、枠脚部１２の底が接着剤によって基板Ｓに固定されていても、枠部１０が可撓性を有していると端部より湾曲させながら剥がすことで容易に取り外すことができる。
【００３１】
また、枠脚部１２（１２ａ、１２ｂ）の内壁面、すなわち、発光部５０に嵌合した際、発光部５０のパッケージ５１の側面と接触する面に凹凸を設けておいてもよい。これにより、映像表示装置用枠材１を発光部５０に被せた際、枠脚部１２（１２ａ、１２ｂ）の内壁面と発光部５０のパッケージ５１の側面との摩擦力が増加し、嵌合した際の保持力が高まることになる。
【００３２】
［ライン構成］
図４は、ライン状の映像表示装置用枠材の例を説明する斜視図であり、（ａ）は全体構成図、（ｂ）は分解図である。この映像表示装置用枠材１は、複数の発光部５０が一列に配置された構成に対応したものである。複数の発光部５０は、基板Ｓ上に所定の間隔で配置されている。図４（ａ）に示す例では複数の発光部５０が横一列に配置されている。
【００３３】
映像表示装置用枠材１は、この複数の発光部５０の並びに沿って枠部１０が設けられている。枠部１０の枠本体１１は、複数の発光部５０の間を含む外周に沿って成形された枠形状を成している。枠脚部１２は、枠本体１１に延設した部材であり、複数の発光部５０の側面に沿って嵌合されるものである。枠脚部１２は、枠本体１１の図中横枠部分において裏面方向に延設している。
【００３４】
なお、枠脚部１２は、必要に応じて枠本体１１の図中縦枠部分に設けられていてもよい。また、図４では、説明の便宜上、枠本体１１と枠脚部１２との間に破線を示し区分けしているが、実際には枠本体１１と枠脚部１２とは一体的に成形されていてもよい。さらに、枠脚部１２は、枠本体１１の図中横枠の辺全体に設けられているが、一部だけに設けられていてもよい。
【００３５】
偏光部２０は、発光部５０から出射される光の偏光方向を制御するフィルタであり、Ｓ偏光（入射面に対して垂直な偏光方向）、Ｐ偏光（入射面に対して水平な偏光方向）のほか、円偏光（時計回り、反時計回り）や楕円偏光などの偏光方向の制御を行う。
【００３６】
偏光部２０は、枠部１０の向かい合う枠脚部１２を跨ぐように設けられている。図４（ａ）に示す例では、枠部１０の図中横枠のうち向かい合う辺に設けられる上側の枠脚部１２ａと図中下側の枠脚部１２ｂとの間を跨ぐよう偏光部２０が設けられている。これにより、枠部１０の枠本体１１で構成される枠の開口全面を偏光部２０が覆う状態となる。
【００３７】
このような構成から成る映像表示装置用枠材１は、複数の発光部５０の周囲に着脱自在に嵌合される。映像表示装置用枠材１を発光部５０に嵌め合わせるよう装着すると、向かい合う枠脚部１２、すなわち図４（ａ）に示す例では、上下の枠脚部１２ａ、１２ｂの間に複数の発光部５０のパッケージ５１が嵌合される状態となる。上下の枠脚部１２ａ、１２ｂの間の内寸は発光部５０のパッケージ５１の上下方向の外寸とほぼ等しくなっており、ずれなく映像表示装置用枠材１が嵌合される。
【００３８】
枠部１０は、可撓性を有する材料で構成されていてもよい。例えば、ゴム系（シリコーンゴム等）の材料で構成され、可撓性を有することで映像表示装置用枠材１を発光部５０に容易に着脱できるようになる。
【００３９】
また、枠部１０が可撓性を有する材料で構成されている場合、上下の枠脚部１２ａ、１２ｂの間の内寸を、発光部５０のパッケージ５１の上下方向の外寸より僅かに小さくしておいてもよい。これにより、枠部１０をパッケージ５１の周囲にはめ込んだ際、枠脚部１２ａ、１２ｂの撓みの反力を利用して枠部１０をパッケージ５１に確実に固定できるようになる。
【００４０】
枠部１０の少なくともの枠本体１１の表面は、光反射を抑制する色で構成されている。例えば、黒や黒に近いグレーといった色で構成されている。この枠本体１１の表面が光反射を抑制する色で構成されていると、外光（発光部５０以外の光）の乱反射を防ぐことができる。これにより、枠本体１１が映像表示装置のブラックストライプの作用を果たすことになる。
【００４１】
図４（ｂ）に示すように、映像表示装置用枠材１は、枠部１０と偏光部２０とから構成され、偏光部２０は枠部１０の枠脚部１２の間にはめ込まれている。偏光部２０は、上下の枠脚部１２ａ、１２ｂの間で挟持されるようになっていても、枠本体１１の裏側に接着されるようになっていてもよい。上下の枠脚部１２ａ、１２ｂの間に挟持される場合には、必要に応じて偏光部２０を抜き差しすることができる。
【００４２】
複数の発光部５０が一列に配置された構成に対応する映像表示装置用枠材１では、図４（ｂ）に示すようなその一例に沿った長尺状の偏光部２０を適用し、これを上下の枠脚部１２ａ、１２ｂの間に挿入するよう取り付ける。上下の枠脚部１２ａ、１２ｂに図３（ｂ）に示すような凹部１２０が設けられていれば、長尺状の偏光部２０であっても凹部１２０をガイドとして容易かつ確実に挿入することができる。
【００４３】
［マトリクス構成］
図５は、マトリクス（行列）状の映像表示装置用枠材の例を説明する斜視図である。この映像表示装置用枠材１は、複数の発光部５０がマトリクス状に配置された構成に対応したものである。複数の発光部５０は、基板Ｓ上に所定の間隔で縦横マトリクス状に配置されている。
【００４４】
映像表示装置用枠材１は、この複数の発光部５０の並びに沿って枠部１０が設けられている。枠部１０の枠本体１１は、複数の発光部５０の間を含む外周に沿って成形された枠形状を成している。枠脚部１２は、枠本体１１に延設した部材であり、複数の発光部５０の側面に沿って嵌合されるものである。枠脚部１２は、枠本体１１の図中横枠部分において裏面方向に延設している。
【００４５】
なお、枠脚部１２は、必要に応じて枠本体１１の図中縦枠部分に設けられていてもよい。また、説明の便宜上、枠本体１１と枠脚部１２とを区分けして説明しているが、実際には枠本体１１と枠脚部１２とは一体的に成形されていてもよい。さらに、枠脚部１２は、枠本体１１の図中横枠の辺全体に設けられているが、一部だけに設けられていてもよい。
【００４６】
偏光部２０は、発光部５０から出射される光の偏光方向を制御するフィルタであり、Ｓ偏光（入射面に対して垂直な偏光方向）、Ｐ偏光（入射面に対して水平な偏光方向）のほか、円偏光（時計回り、反時計回り）や楕円偏光などの偏光方向の制御を行う。
【００４７】
偏光部２０は、枠部１０の向かい合う枠脚部１２を跨ぐように設けられている。図５に示す例では、枠部１０の図中横枠のうち向かい合う辺に設けられる上側の枠脚部１２と図中下側の枠脚部１２との間を跨ぐよう偏光部２０が設けられている。これにより、枠部１０の枠本体１１で構成される枠の開口全面を偏光部２０が覆う状態となる。
【００４８】
このような構成から成る映像表示装置用枠材１は、複数の発光部５０の周囲に着脱自在に嵌合される。映像表示装置用枠材１を発光部５０に嵌め合わせるよう装着すると、向かい合う枠脚部１２の間に複数の発光部５０のパッケージ５１が嵌合される状態となる。向かい合う上下の枠脚部１２の間の内寸は発光部５０のパッケージ５１の上下方向の外寸とほぼ等しくなっており、ずれなく映像表示装置用枠材１が嵌合される。
【００４９】
枠部１０は、可撓性を有する材料で構成されていてもよい。例えば、ゴム系（シリコーンゴム等）の材料で構成され、可撓性を有することで映像表示装置用枠材１を発光部５０に容易に着脱できるようになる。
【００５０】
また、枠部１０が可撓性を有する材料で構成されている場合、上下の枠脚部１２ａ、１２ｂの間の内寸を、発光部５０のパッケージ５１の上下方向の外寸より僅かに小さくしておいてもよい。これにより、枠部１０をパッケージ５１の周囲にはめ込んだ際、枠脚部１２ａ、１２ｂの撓みの反力を利用して枠部１０をパッケージ５１に確実に固定できるようになる。
【００５１】
枠部１０の少なくとも枠本体１１の表面は、光反射を抑制する色で構成されている。例えば、黒や黒に近いグレーといった色で構成されている。この枠本体１１の表面が光反射を抑制する色で構成されていると、外光（発光部５０以外の光）の乱反射を防ぐことができる。これにより、枠本体１１が映像表示装置のブラックストライプの作用を果たすことになる。
【００５２】
図６は、映像表示装置用枠材の分解斜視図である。図６に示すように、映像表示装置用枠材１は、枠部１０と偏光部２０とから構成され、偏光部２０は枠部１０の枠脚部１２の間にはめ込まれている。偏光部２０は、向かい合う上下の枠脚部１２の間で挟持されるようになっていても、枠本体１１の裏側に接着されるようになっていてもよい。上下の枠脚部の間に挟持される場合には、必要に応じて偏光部２０を抜き差しすることができる。
【００５３】
複数の発光部５０がマトリクス状に配置された構成に対応する映像表示装置用枠材１では、図６に示すような一行ごとに対応した長尺状の偏光部２０を適用し、これを上下の枠脚部１２の間に挿入するよう取り付ける。上下の枠脚部１２に図３（ｂ）に示すような凹部１２０が設けられていれば、長尺状の偏光部２０であっても凹部１２０をガイドとして容易かつ確実に挿入することができる。
【００５４】
また、一行ごとに長尺状の偏光部２０を取り付ける場合、各行ごと偏光部２０の偏光方向を設定できることになる。例えば、一行おきに交互に異なる偏光方向の偏光部２０を取り付けることもできる。
【００５５】
＜２．映像表示装置＞
［枠材の構成］
図７は、本実施形態に係る映像表示装置を説明する斜視図である。映像表示装置１００は、複数の発光部５０がマトリクス状に配置される映像表示部１０１に、先に説明した本実施形態の映像表示装置用枠材１が取り付けられた構成となっている。
【００５６】
図７拡大図に示すように、映像表示装置用枠材１は、図５、図６に示すマトリクス状の映像表示装置用枠材１が適用されている。なお、映像表示装置用枠材１として、図１に示す基本構成のものや、図４に示すライン状にものを用いてもよいが、取り付けの効率を考慮すると、マトリクス状の映像表示装置用枠材１が望ましい。また、マトリクス状の映像表示装置用枠材１を用いる際には、映像表示部１０１の全面で１つの映像表示装置用枠材１を用いても、全面を所定領域に分割した大きさの映像表示装置用枠材１を複数個取り付けて全面に対応するようにしてもよい。
【００５７】
映像表示装置用枠材１は、この複数の発光部５０の並びに沿って枠部１０が設けられている。枠部１０の枠本体１１は、複数の発光部５０の間を含む外周に沿って成形された枠形状を成している。枠脚部１２は、枠本体１１に延設した部材であり、複数の発光部５０の側面に沿って嵌合されるものである。
【００５８】
偏光部２０は、発光部５０から出射される光の偏光方向を制御するフィルタであり、Ｓ偏光（入射面に対して垂直な偏光方向）、Ｐ偏光（入射面に対して水平な偏光方向）のほか、円偏光（時計回り、反時計回り）や楕円偏光などの偏光方向の制御を行う。
【００５９】
このような構成から成る映像表示装置用枠材１は、映像表示部１０１を構成する複数の発光部５０の周囲に着脱自在に嵌合される。映像表示装置用枠材１を発光部５０に嵌め合わせるよう装着すると、向かい合う枠脚部１２の間に複数の発光部５０のパッケージ５１が嵌合される状態となる。向かい合う上下の枠脚部１２の間の内寸は発光部５０のパッケージ５１の上下方向の外寸とほぼ等しくなっており、ずれなく映像表示装置用枠材１が嵌合される。
【００６０】
枠部１０は、可撓性を有する材料で構成されていてもよい。例えば、ゴム系（シリコーンゴム等）の材料で構成され、可撓性を有することで映像表示装置用枠材１を映像表示部１０１に容易に着脱できるようになる。
【００６１】
枠部１０の少なくとも枠本体１１の表面は、光反射を抑制する色で構成されている。例えば、黒や黒に近いグレーといった色で構成されている。この枠本体１１の表面が光反射を抑制する色で構成されていると、外光（発光部５０以外の光）の乱反射を防ぐことができる。これにより、枠本体１１が映像表示部１０１の複数の発光部５０の隙間に配置されるブラックストライプの作用を果たすことになる。
【００６２】
この映像表示装置用枠材１では、映像表示部１０１の一行ごとに対応した長尺状の偏光部２０を適用し、これを上下の枠脚部１２ａ、１２ｂの間に挿入するよう取り付ける。上下の枠脚部１２に図３（ｂ）に示すような凹部１２０が設けられていれば、長尺状の偏光部２０であっても凹部１２０をガイドとして容易かつ確実に挿入することができる。
【００６３】
映像表示装置１００が立体映像を表示するものである場合、一行おきに交互に異なる偏光方向の偏光部２０が取り付けられている。例えば、発光部５０から出射される光をＰ偏光に変換する偏光部２０Ｐと、発光部５０から出射される光をＳ偏光に変換する偏光部２０Ｓとを１行おきに交互に配置する。
【００６４】
なお、ここではＰ偏光とＳ偏光の偏光部２０Ｐ、２０Ｓを一行おきに交互に配置する例を示したが、Ｐ偏光、Ｓ偏光以外の偏光方向のものを用いてもよい。
【００６５】
［映像参照状態］
図８は、本実施形態の映像表示装置を用いた立体映像の参照状態を説明する図である。映像表示装置１００は、複数の発光部５０がマトリクス状に配置される映像表示部１０１に、先に説明した本実施形態の映像表示装置用枠材１が取り付けられた構成となっている。また、映像表示装置用枠材１に取り付けられる偏光部（図示せず）は、一行おきにＳ偏光の偏光部２０ＰとＰ偏光の偏光部２０Ｓとが交互に配置されている。
【００６６】
この映像表示装置１００において立体映像を表示させる場合、ｏｄｄ（奇数）行の映像表示とｅｖｅｎ（偶数）行の映像表示とを切り替えて行う。
【００６７】
ここで、ｏｄｄ（奇数）行の映像表示とｅｖｅｎ（偶数）行の映像表示とでは、先に説明した本実施形態の映像表示装置用枠材１の偏光部によって、一方の行がＳ偏光もしくはＰ偏光の光に変換され、他方の行がＰ偏光もしくはＳ偏光の光に変換される。
【００６８】
映像の参照者は、左右の目で異なる偏光方向の光を透過する眼鏡Ｇを介して映像を参照する。例えば、眼鏡Ｇの左目側にはＰ偏光の光を透過するフィルタＦＰが設けられ、右目側にはＳ偏光の光を透過するフィルタＦＳが設けられている。これにより、参照者は、左右の目で異なる偏光方向の光のみを参照することになる。
【００６９】
例えば、映像表示装置１００におけるｏｄｄ（奇数）行の映像が映像表示装置用枠材１の偏光部２０によってＰ偏光の光に変換され、ｅｖｅｎ（偶数）行の映像が映像表示装置用枠材１の偏光部２０によってＳ偏光の光に変換されるものとする。また、眼鏡Ｇとして、左目側にＰ偏光の光を透過するフィルタＦＰが設けられ、右目側にＳ偏光の光を透過するフィルタＦＳが設けられているものとする。
【００７０】
この場合、映像表示装置１００のｏｄｄ（奇数）行の映像はＰ偏光の光に変換され、参照者が装着する眼鏡ＧのＰ偏光の光を透過するフィルタＦＰのみを通過して左目に到達する。右目側のフィルタＦＳはＰ偏光の光を透過しないため、このｏｄｄ（奇数）行の映像は右目には到達せず、左目だけで参照することになる。
【００７１】
一方、映像表示装置１００のｅｖｅｎ（偶数）行の映像はＳ偏光の光に変換され、参照者が装着する眼鏡ＧのＳ偏光の光を透過するフィルタＦＳのみを通過して右目に到達する。左目側のフィルタＦＰはＳ偏光の光を透過しないため、このｅｖｅｎ（偶数）行の映像は左目には到達せず、右目だけで参照することになる。
【００７２】
つまり、映像表示装置１００で表示する映像を参照する参照者は眼鏡Ｇを装着することで、ｏｄｄ（奇数）行の映像を左目で、ｅｖｅｎ（偶数）行の映像を右目で参照することになる。映像表示装置１００では、ｏｄｄ（奇数）行の映像とｅｖｅｎ（偶数）行の映像として、立体映像用に変換したものを表示する。これにより、参照者は、左右の目でそれぞれ立体映像用に変換された映像を参照することになり、立体映像として認識することになる。
【００７３】
本実施形態の映像表示装置１００では、映像表示装置用枠材１が着脱自在に設けられていることから、映像表示装置１００として立体映像を表示させる場合には映像表示装置用枠材１を取り付けようにする。一方、映像表示装置１００として通常の映像（平面映像）を表示させる場合には映像表示装置用枠材１を取り外すことで対応可能となる。
【００７４】
＜３．発光部の構成例＞
［角形パッケージ］
図９は、発光部の構成例を説明する図である。図９（ａ）は、角形パッケージから成る発光部の例を示す図である。この発光部５０は、内部に発光素子を備えており、発光素子が角形のパッケージ５１で封止された構成である。発光素子としては、赤色の光を出射する発光素子５０ｒ、緑色の光を出射する発光素子５０ｇ、青色の光を出射する発光素子５０ｂが所定の配列で配置されている。
【００７５】
発光素子は、上記のような３つの発光素子５０ｒ、５０ｇ、５０ｂに限定されず、１色に対応した１つもしくは複数の発光素子が封止されているのでも、また、４つ以上の発光素子が配列されていても、上記の色以外のものが用いられていてもよい。
【００７６】
［丸形パッケージ］
図９（ｂ）は、丸形パッケージから成る発光部の例を示す図である。この発光部５０は、内部に発光素子を備えており、発光素子が丸形のパッケージ５１で封止された構成である。発光素子は、上記角形パッケージの場合と同様に、複数の色に対応した複数の発光部が封止されていても、１つの色に対応した１つもしくは複数の発光素子が封止されているものであってもよい。
【００７７】
本実施形態の映像表示装置用枠材１として、このような丸形のパッケージ５１から成る発光部５０に対応する場合、丸形のパッケージ５１の外接矩形を想定し、この外接矩形による角形のパッケージであるとして上記枠脚部１２を構成すればよい。なお、枠本体１１については丸形のパッケージ５１の形状に合わせ、この丸形が枠の開口形状と対応するように設けるようにすればよい。
【００７８】
また、上記各種パッケージから成る発光部５０で適用される発光素子としては、ＬＥＤのほか、半導体レーザや有機ＥＬ発光素子など各種の素子が用いられる。また、必要に応じ、発光部５０の発光素子の表面（例えば、ＬＥＤチップ表面）やパッケージに偏光板が組み込まれたものを用いてもよい。発光部５０に偏光板が組み込まれているものを用いる場合、必ずしも枠部１０に偏光部２０を取り付けておく必要はない。
【００７９】
本実施形態によれば、映像表示装置用枠材１を発光部に５０に嵌合することで、偏光乱れを発生させない映像表示装置を容易に実現することができる。また、枠本体の少なくとも表面が光反射を抑制する色で構成されていることにより、発光部５０の隙間のブラックストライプとして作用することになる。これらの相乗的な作用により、従来に比較して１０〜２０％程度明るくコントラストの高い立体映像を表示することが可能となる。
【符号の説明】
【００８０】
１…映像表示装置用枠材、１０…枠部、１１…枠本体、１２…枠脚部、２０…偏光部、１００…映像表示装置
【図１】
2010281994.tif 000003
【図２】
2010281994.tif 000004
【図３】
2010281994.tif 000005
【図４】
2010281994.tif 000006
【図５】
2010281994.tif 000007
【図６】
2010281994.tif 000008
【図７】
2010281994.tif 000009
【図８】
2010281994.tif 000010
【図９】
2010281994.tif 000011